(57)【要約】【課題】収納庫システムにおいて各電気錠のアドレスを容易に設定する。【解決手段】収納庫システム（１００）の一部として組み込まれて各収納庫ユニット（１０Ａ〜１０Ｆ）が有する電気錠（１２）を制御するコントロールユニット（２０）において、コンピュータ（２２）は、実際の各収納庫ユニットおよび収納庫システムの正面レイアウト図中での各収納庫ユニットの双方に対する操作を通じて実際の各収納庫ユニットと収納庫システムの正面レイアウト図中での各収納庫ユニットとの対応関係を特定して各収納庫ユニットが有する電気錠にアドレスを付与する機能、および各収納庫ユニットが有する電気錠に付与したアドレスと収納庫システムの正面レイアウト図中での各収納庫ユニットのロケーションとを紐付けたレコードをテーブルに追加する機能を有する。【選択図】図２
2018150715.tif 000002
【特許請求の範囲】
【請求項１】
電気錠付きの収納庫ユニットが複数連結されて構成される収納庫システムの一部として組み込まれて各収納庫ユニットが有する電気錠を制御するコントロールユニットであって、
各種画面を表示するとともにユーザーからのタッチ操作を受け付けるタッチパネル式ディスプレイと、
前記各収納庫ユニットと通信する通信インタフェースと、
前記各収納庫ユニットが有する電気錠のアドレスと前記収納庫システムの正面レイアウト図中での前記各収納庫ユニットのロケーションとの対応関係を表すテーブルを記憶するメモリと、
前記タッチパネル式ディスプレイ、前記通信インタフェースおよび前記メモリに接続されたコンピュータとを備え、
前記コンピュータが、前記タッチパネル式ディスプレイに前記収納庫システムの正面レイアウト図を表示する第１の機能と、実際の前記各収納庫ユニットおよび前記収納庫システムの正面レイアウト図中での前記各収納庫ユニットの双方に対する操作を通じて実際の前記各収納庫ユニットと前記収納庫システムの正面レイアウト図中での前記各収納庫ユニットとの対応関係を特定して前記各収納庫ユニットが有する電気錠にアドレスを付与する第２の機能と、前記各収納庫ユニットが有する電気錠に付与したアドレスと前記収納庫システムの正面レイアウト図中での前記各収納庫ユニットのロケーションとを紐付けたレコードを前記テーブルに追加する第３の機能と、前記テーブルを参照して、ユーザーが前記収納庫システムの正面レイアウト図中で指定した収納庫ユニットが有する電気錠のアドレスを特定し、当該アドレス宛に信号を送信して当該電気錠を解錠する第４の機能とを有するコントロールユニット。
【請求項２】
前記コンピュータが、ユーザーがアドレスがまだ付与されていない電気錠を有する収納庫ユニットを操作して当該操作した収納庫ユニットから信号を受信し、さらにユーザーが前記収納庫システムの正面レイアウト図中で当該操作した収納庫ユニットに該当する収納庫ユニットを指定することにより、当該操作した収納庫ユニットが有する電気錠にアドレスを付与するものである請求項１に記載のコントロールユニット。
【請求項３】
前記コンピュータが、アドレスがまだ付与されていない電気錠を有する収納庫ユニットを前記収納庫システムの正面レイアウト図中で指定し、ユーザーが該当指定した収納庫ユニットを操作して当該操作した収納庫ユニットから信号を受信することにより、当該操作した収納庫ユニットが有する電気錠にアドレスを付与するものである請求項１に記載のコントロールユニット。
【請求項４】
前記収納庫ユニットに対する操作が前記収納庫ユニットの非常解錠操作である請求項２または請求項３に記載のコントロールユニット。
【請求項５】
前記収納庫ユニットに対する操作が前記収納庫ユニットの扉開閉操作である請求項２または請求項３に記載のコントロールユニット。
【請求項６】
前記コンピュータが、前記各収納庫ユニットから前記各収納庫ユニットが有する電気錠の製造番号を取得して製造番号リストを生成する第５の機能を有し、ユーザーが前記収納庫システムの正面レイアウト図中で、アドレスがまだ付与されていない電気錠を有する収納庫ユニットを指定することにより、前記製造番号リストを参照して、アドレスがまだ付与されていない電気錠の製造番号を前記各収納庫ユニットにブロードキャストして当該製造番号を持つ電気錠を有する収納庫ユニットの表示灯を点灯させ、ユーザーが前記表示灯が点灯した収納庫ユニットと当該指定した収納庫ユニットとが一致すると確認した場合には前記表示灯が点灯した収納庫ユニットが有する電気錠にアドレスを付与し、そうでない場合には前記表示灯が点灯した収納庫ユニットが有する電気錠にアドレスを付与せずにアドレスがまだ付与されていない別の電気錠の製造番号を前記各収納庫ユニットにブロードキャストするものである請求項１に記載のコントロールユニット。
【請求項７】
前記コンピュータが、前記各収納庫ユニットから前記各収納庫ユニットが有する電気錠の製造番号を取得して製造番号リストを生成する第５の機能を有し、前記製造番号リストを参照して、アドレスがまだ付与されていない電気錠の製造番号を前記各収納庫ユニットにブロードキャストして当該製造番号を持つ電気錠を有する収納庫ユニットの表示灯を点灯させ、さらにユーザーが前記収納庫システムの正面レイアウト図中で、前記表示灯が点灯した収納庫ユニットに該当する収納庫ユニットを指定することにより、前記表示灯が点灯した収納庫ユニットが有する電気錠にアドレスを付与するものである請求項１に記載のコントロールユニット。
【請求項８】
複数の、電気錠付きの収納庫ユニットと、
請求項１ないし請求項７のいずれかに記載のコントロールユニットとを備えた収納庫システム。
【発明の詳細な説明】
【技術分野】
【０００１】
本発明は、オフィスなどに設置される収納庫システムおよび収納庫システムを構成する各収納庫ユニットの電気錠を制御するコントロールユニットに関する。
【背景技術】
【０００２】
オフィスなどには書類や書籍さらには物品などを収容することができるさまざまなタイプの収納庫が設置されている。特に秘匿情報を扱う書類などは錠付き収納庫に保管される。
【０００３】
錠付き収納庫の個数が多くなると目的の鍵を見つけるのが大変になるばかりか鍵の保管リスクが高くなる。そこで、近年、電気信号により解錠することができる電気錠付きの収納庫が導入されている。さらに、下記特許文献１には、そのような電気錠付き収納庫をユニット化し、複数の収納庫ユニットと、タッチパネル式ディスプレイに表示されるＧＵＩ（Graphical User Interface）を通じて各収納庫ユニットの電気錠の施解錠を制御するコントロールユニットとを組み合わせてなる収納庫システムが開示されている。
【先行技術文献】
【特許文献】
【０００４】
【特許文献１】特開２０１２−３６５９３号公報
【発明の概要】
【発明が解決しようとする課題】
【０００５】
収納庫システムにおいてコントロールユニットは各電気錠に信号を送ってその電気錠の施解錠を制御する。そのためコントロールユニットが目的の電気錠に信号を送信できるように各電気錠にはユニークなアドレスが割り当てられている。
【０００６】
一般に電気錠のアドレス設定は電気錠の制御基板に実装されたロータリースイッチやディップスイッチなどを設定して行われるが、収納庫ユニットの個数が多くなるとこれらスイッチ設定作業量も増えて手間がかかる。また、収納庫ユニットの個数が多かったり、ユニット入れ替えが頻繁に発生したりするとアドレスを重複して設定してしまうおそれがある。このアドレスの重複はシステムトラブルの原因となるため回避しなければならない。
【０００７】
上記問題に鑑み、本発明は、収納庫システムにおいて各電気錠のアドレスを容易に設定できるようにすることを目的とする。
【課題を解決するための手段】
【０００８】
本発明の一局面に従うと、電気錠付きの収納庫ユニットが複数連結されて構成される収納庫システムの一部として組み込まれて各収納庫ユニットが有する電気錠を制御するコントロールユニットは、各種画面を表示するとともにユーザーからのタッチ操作を受け付けるタッチパネル式ディスプレイと、前記各収納庫ユニットと通信する通信インタフェースと、前記各収納庫ユニットが有する電気錠のアドレスと前記収納庫システムの正面レイアウト図中での前記各収納庫ユニットのロケーションとの対応関係を表すテーブルを記憶するメモリと、前記タッチパネル式ディスプレイ、前記通信インタフェースおよび前記メモリに接続されたコンピュータとを備え、前記コンピュータが、前記タッチパネル式ディスプレイに前記収納庫システムの正面レイアウト図を表示する第１の機能と、実際の前記各収納庫ユニットおよび前記収納庫システムの正面レイアウト図中での前記各収納庫ユニットの双方に対する操作を通じて実際の前記各収納庫ユニットと前記収納庫システムの正面レイアウト図中での前記各収納庫ユニットとの対応関係を特定して前記各収納庫ユニットが有する電気錠にアドレスを付与する第２の機能と、前記各収納庫ユニットが有する電気錠に付与したアドレスと前記収納庫システムの正面レイアウト図中での前記各収納庫ユニットのロケーションとを紐付けたレコードを前記テーブルに追加する第３の機能と、前記テーブルを参照して、ユーザーが前記収納庫システムの正面レイアウト図中で指定した収納庫ユニットが有する電気錠のアドレスを特定し、当該アドレス宛に信号を送信して当該電気錠を解錠する第４の機能とを有するコントロールユニットである。
【０００９】
また、本発明の別の局面に従った収納庫システムは、複数の、電気錠付きの収納庫ユニットと、上記のコントロールユニットとを備えた収納庫システムである。
【００１０】
上記構成によると、コントロールユニットのタッチパネル式ディスプレイに収納庫システムの正面レイアウト図が表示され、実際の各収納庫ユニットおよび収納庫システムの正面レイアウト図中での前記各収納庫ユニットの双方に対する操作を通じて各電気錠にユニークなアドレスが付与され、各収納庫ユニットが有する電気錠のアドレスと収納庫システムの正面レイアウト図中での各収納庫ユニットのロケーションとの対応関係を表すテーブルがメモリに記憶される。
【発明の効果】
【００１１】
以上のように本発明によると、収納庫システムにおいて、各電気錠のアドレスをディップスイッチやロータリースイッチで設定することなく、コントロールユニットのタッチパネル式ディスプレイに表示されるＧＵＩを通じて容易に設定することができる。
【図面の簡単な説明】
【００１２】
【図１】本発明の一実施形態に係る収納庫システムの正面図
【図２】本発明の一実施形態に係る収納庫システムのシステム構成図
【図３】本発明の一実施形態に係る収納庫システムの構築手順を示す図
【図４】各収納庫ユニットが有する電気錠の製造番号のリストを表す図
【図５】タッチパネル式ディスプレイに表示された収納庫システムの正面レイアウト図を示す図
【図６】収納庫システムの正面レイアウト図の作成の様子を示す図
【図７】第１例に係るユニット紐付け作業における各収納庫ユニットとコントロールユニットとの間の通信シーケンス図
【図８】第２例に係るユニット紐付け作業における各収納庫ユニットとコントロールユニットとの間の通信シーケンス図
【図９】第３例に係るユニット紐付け作業における各収納庫ユニットとコントロールユニットとの間の通信シーケンス図
【図１０】第４例に係るユニット紐付け作業における各収納庫ユニットとコントロールユニットとの間の通信シーケンス図
【発明を実施するための形態】
【００１３】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者らは、当業者が本発明を十分に理解するために添付図面および以下の説明を提供するのであって、これらによって特許請求の範囲に記載の主題を限定することを意図するものではない。また、図面に描かれた各部材の寸法、厚み、細部の詳細形状などは実際のものとは異なることがある。
【００１５】
１．収納庫システムの概要
図１は、本発明の一実施形態に係る収納庫システムの正面図である。本実施形態に係る収納庫システム１００は、電気錠付きの６つの収納庫ユニット１０Ａ〜１０Ｆと、コントロールユニット２０とを備えている。
【００１６】
収納庫ユニット１０Ａはコントロールユニット２０を収容することができることができるユニットであり、コントロールユニット２０の収容空間以外は両開き保管庫になっている。収納庫ユニット１０Ｂは独立した４つの収納庫を有しており、各収納庫に片開き扉が設けられるとともに各扉に電気錠が設けられている。収納庫ユニット１０Ｃは収納庫ユニット１０Ａよりも背の低い両開き保管庫である。収納庫ユニット１０Ｄは３段ファイルキャビネットであり、各引き出しに電気錠が設けられている。収納庫ユニット１０Ｅは両開き耐火金庫であり、電気錠以外に図略のダイアル錠も有する。収納庫ユニット１０Ｆは収納庫ユニット１０Ｅよりも背の高い両開き耐火金庫であり、電気錠以外に図略のダイアル錠も有する。なお、収納庫ユニット１０Ａ〜１０Ｆはいずれも直方体形状を有するとともに幅および奥行きが共通化されている。
【００１７】
収納庫ユニット１０Ｄ〜１０Ｆは床置きされる下段ユニットであり、収納庫ユニット１０Ａ〜１０Ｃは下段ユニットの上に設置される上段ユニットである。下段ユニットと上段ユニットとの組み合わせは自由である。すなわち、ユーザーは、下段ユニットおよび上段ユニットとして任意の収納庫ユニットを選んでそれら収納庫ユニットを連結して収納庫システムを自由に構築することができる。図１に示した収納庫システム１００では、収納庫ユニット１０Ｄ〜１０Ｆの上に収納庫ユニット１０Ａ〜１０Ｃが設置されている。
【００１８】
コントロールユニット２０は、各収納庫ユニット１０Ａ〜１０Ｆが有する電気錠を制御するユニットであり、それ自体が収納庫システム１００の一部として組み込まれている。具体的には、コントロールユニット２０は収納庫ユニット１０Ａに収容されている。
【００１９】
コントロールユニット２０の正面にタッチパネル式ディスプレイ２４が設けられている。ユーザーはタッチパネル式ディスプレイ２４に表示されるＧＵＩを通じて各収納庫ユニット１０Ａ〜１０Ｆが有する電気錠を解錠することができる。また、管理者はタッチパネル式ディスプレイ２４に表示されるＧＵＩを通じて収納庫システム１００の初期設定やメンテナンスなどを行うことができる。
【００２０】
２．収納庫システムのシステム構成
次に、収納庫システム１００のシステム構成について説明する。図２は、本発明の一実施形態に係る収納庫システムのシステム構成図である。コントロールユニット２０は各収納庫ユニット１０Ａ〜１０Ｆと通信線３０で接続されている。通信線３０としてＬＯＮ（Local Operating Network）やＬＡＮ（Local Area Network）などを利用可能である。また、コントロールユニット２０と各収納庫ユニット１０Ａ〜１０Ｆとの接続形態として、図２に示したバス型以外にスター型やデイジーチェーン型などのさまざまなネットワークトポロジーが採用可能である。
【００２１】
各収納庫ユニット１０Ａ〜１０Ｆは錠モジュール１１を有する。錠モジュール１１は、電気錠１２と、表示灯１３と、シリンダー錠１４と、扉開閉センサ１５とを備えている。電気錠１２は、ギヤモータやソレノイドといった電気的作用を利用した電動機構による錠装置であり、コントロールユニット２０からの解錠信号を受けて解錠する。なお、電気錠１２の固有番号である製造番号が錠モジュール１１における図略のメモリに記憶されている。表示灯１３は、ＬＥＤ（Light Emitting Diode）などで構成され、電気錠１２の解錠時などに点灯する。シリンダー錠１４は、鍵を鍵穴に差し込んで解錠する機械式の錠であり、電気錠１２を非常解錠することができる。扉開閉センサ１５は、収納庫ユニットの扉の開閉を検知するセンサであり、磁気近接センサやドアスイッチなどで構成することができる。
【００２２】
なお、収納庫ユニット１０Ｄでは各引き出しに、収納庫ユニット１０Ｂでは各収納庫に、それぞれ錠モジュール１１が設けられている。
【００２３】
コントロールユニット２０は、通信インタフェース２１と、コンピュータ２２と、メモリ２３と、タッチパネル式ディスプレイ２４とを備えている。コンピュータ２２は、通信インタフェース２１、メモリ２３およびタッチパネル式ディスプレイ２４に接続されている。通信インタフェース２１は、通信線３０に接続され、コンピュータ２０と各収納庫ユニット１０Ａ〜１０Ｆの錠モジュール１１との通信を行う。メモリ２３は、オペレーティングシステムプログラムやアプリケーションプログラムといったコンピュータ２２で実行されるコンピュータプログラムのほか、コンピュータ２２により生成されるデータや参照されるデータなどを記憶する記憶デバイスである。特にメモリ２３には、各収納庫ユニット１０Ａ〜１０Ｆが有する電気錠１２のアドレスと収納庫システム１００の正面レイアウト図中での各収納庫ユニット１０Ａ〜１０Ｆのロケーションとの対応関係を表すテーブルが記憶されている。メモリ２３は、ＲＯＭ（Read Only Memory）、ＲＡＭ（Random Access Memory）、フラッシュメモリなどの半導体メモリおよび／またはＨＤＤ（Hard Disk Drive）やＳＳＤ（Solid State Drive）などのディスク装置で構成することができる。タッチパネル式ディスプレイ２４は、各種画面を表示するとともにユーザーからのタッチ操作を受け付ける表示デバイスであり、例えばＬＣＤ（Liquid Crystal Display）などを利用可能である。なお、タッチパネル式ディスプレイ２４は、収納庫システム１００の全体図を表示可能なように、ＸＧＡ（eXtended Graphics Array）以上の画面解像度を有する大型ディスプレイ（例えば１５インチディスプレイ）を採用することが好ましい。
【００２４】
３．収納庫システムの構築手順
収納庫システム１００は例えば次の手順で構築することができる。図３は、本発明の一実施形態に係る収納庫システムの構築手順を示す図である。
【００２５】
まず、各収納庫ユニット１０Ａ〜１０Ｆを所定の場所に設置する（Ｓ１）。このとき、各収納庫ユニット１０Ａ〜１０Ｆの錠モジュール１１においてディップスイッチやロータリースイッチの設定をする必要はない。
【００２６】
各収納庫ユニット１０Ａ〜１０Ｆの設置が終わると、各収納庫ユニット１０Ａ〜１０Ｆとコントロールユニット２０とを結線する（Ｓ２）。これにより、後述するある実施例では、各収納庫ユニット１０Ａ〜１０Ｆからコントロールユニット２０へ各収納庫ユニット１０Ａ〜１０Ｆが有する電気錠１２の製造番号が通知される。コントロールユニット２０は、通知された電気錠１２の製造番号を、図４に示したようなリスト形式でメモリ２３に記録する。なお、リストにおける製造番号の並び順は任意である。
【００２７】
その後、コントロールユニット２０のタッチパネル式ディスプレイ２４を操作して、設置した収納庫システム１００の正面レイアウト図を作成する（Ｓ３）。詳細については後述する。
【００２８】
収納庫システム１００の正面レイアウト図が作成できると、設置した各収納庫ユニット１０Ａ〜１０Ｆとコントロールユニット２０のタッチパネル式ディスプレイ２４に表示される収納庫システム１００の正面レイアウト図の双方を操作して、各収納庫ユニット１０Ａ〜１０Ｆと収納庫システム１００の正面レイアウト図とを紐付ける（Ｓ４）。詳細については後述する。
【００２９】
各収納庫ユニット１０Ａ〜１０Ｆと収納庫システム１００の正面レイアウト図との紐付け作業が終わると、コントロールユニット２０のタッチパネル式ディスプレイ２４を操作して各収納庫ユニット１０Ａ〜１０Ｆの電気錠１２を解錠操作できるようになる。さらにユーザーの利便性を考慮して、各収納庫ユニット１０Ａ〜１０Ｆに任意の参照番号を自由に設定することができる（Ｓ５）。参照番号を使用することで、コントロールユニット２０のタッチパネル式ディスプレイ２４において各収納庫ユニット１０Ａ〜１０Ｆを数字で容易に指定することができる。
【００３０】
４．コントロールユニットの機能
次に、コントロールユニット２０の機能について説明する。コンピュータ２２は、タッチパネル式ディスプレイ２４に収納庫システム１００の正面レイアウト図を表示する機能、およびメモリ２３に記憶された上記テーブルを参照して、ユーザーが収納庫システム１００の正面レイアウト図中で指定した収納庫ユニット１０Ａ〜１０Ｆが有する電気錠１２のアドレスを特定し、当該アドレス宛に信号を送信して当該電気錠を解錠する機能を有する。
【００３１】
図５は、タッチパネル式ディスプレイ２４に表示された収納庫システム１００の正面レイアウト図を示す図である。収納庫システム１００の正面レイアウト図において各収納庫ユニット１０Ａ〜１０Ｆ（収納庫ユニット１０Ｂ、１０Ｄについては細分化された各収納庫または各引き出し）にユニークな参照番号が割り当てられている。ユーザーは収納庫システム１００の正面レイアウト図中で、参照番号が割り当てられた任意の収納庫ユニットをタッチ操作して解錠場所を指定してから「決定」ボタンをタッチ操作することで、目的の収納庫ユニットの電気錠を解錠することができる。なお、図５は解錠場所として参照番号「１０」が割り当てられた収納庫ユニット１０Ｃが指定された例を示している。
【００３２】
４．１  システム正面レイアウト図作成
図５に示した収納庫システム１００の正面レイアウト図はタッチパネル式ディスプレイ２４を操作して作成することができる。図６は、収納庫システム１００の正面レイアウト図の作成の様子を示す図である。タッチパネル式ディスプレイ２４の画面中のキャンバス領域２４１に収納庫システムの配置枠２４２が表示されている。ユーザーは画面左側のユニット選択ウィンドウにおいて所望の収納庫ユニットを選択し、それを所望の配置枠２４２までドラッグ＆ドロップするか、または所望の収納庫ユニットをタッチ操作して選択してからそれを配置すべき所望の配置枠２４２をタッチ操作する。この作業を繰り返して収納庫システム１００の正面レイアウト図を作成することができる。作成した収納庫システム１００の正面レイアウト図はメモリ２３に記憶される。このように本実施形態に係る収納庫システム１００では、コントロールユニット２０のタッチパネル式ディスプレイ２４の操作を通じて収納庫システム１００の正面レイアウト図を容易に作成することができる。
【００３３】
収納庫システム１００の正面レイアウト図が完成すると、各収納庫ユニット１０Ａ、１０Ｃ、１０Ｅ、１０Ｆ、収納庫ユニット１０Ｂの各収納庫および収納庫ユニット１０Ｄの各引き出しに任意の参照番号を設定することができる。参照番号は自動で設定することができる。あるいは、ユーザーが収納庫システム１００の正面レイアウト図中で任意の収納庫ユニットを指定して当該指定した収納庫ユニットの参照番号を手動設定することもできる。あるいは、ユーザーが収納庫システム１００の正面レイアウト図中で収納庫ユニットを次々にタッチしていくことで参照番号を１ずつ増加させるといった半自動での設定も可能である。
【００３４】
なお、収納庫システム１００の正面レイアウト図は、各収納庫ユニット１０Ａ〜１０Ｆを設置してから作成してもよいし、各収納庫ユニット１０Ａ〜１０Ｆを設置する前に作成してもよい。
【００３５】
また、収納庫システム１００がＬＡＮに接続されている場合には、当該ＬＡＮに接続されたパソコンなどを用いて収納庫システム１００の正面レイアウト図を作成することができる。
【００３６】
また、収納庫システム１００の正面レイアウト図は、収納庫システム１００を正面から撮影し、その正面写真画像をコンピュータ２２あるいは上記ＬＡＮに接続されたパソコンが画像処理して自動的に作成することもできる。
【００３７】
４．２  ユニット紐付け作業
上述したように、各収納庫ユニット１０Ａ〜１０Ｆを設置して結線し、さらに収納庫システム１００の正面レイアウト図の作成が終わると、次は、各収納庫ユニット１０Ａ〜１０Ｆと収納庫システム１００の正面レイアウト図とを紐付ける必要がある。このユニット紐付け作業を支援するために、コンピュータ２２は、実際の各収納庫ユニット１０Ａ〜１０Ｆおよび収納庫システム１００の正面レイアウト図中での各収納庫ユニット１０Ａ〜１０Ｆの双方に対する操作を通じて実際の各収納庫ユニット１０Ａ〜１０Ｆと収納庫システム１００の正面レイアウト図中での各収納庫ユニット１０Ａ〜１０Ｆとの対応関係を特定して各収納庫ユニット１０Ａ〜１０Ｆが有する電気錠１２にアドレスを付与する機能、および各収納庫ユニット１０Ａ〜１０Ｆが有する電気錠に付与したアドレスと収納庫システム１００の正面レイアウト図中での各収納庫ユニット１０Ａ〜１０Ｆのロケーションとを紐付けたレコードを、メモリ２３に記憶されたテーブルに追加する機能を有する。後述するある実施例では、コンピュータ２２は、さらに、各収納庫ユニット１０Ａ〜１０Ｆがコントロールユニット２０と結線されたときに各収納庫ユニット１０Ａ〜１０Ｆから各収納庫ユニット１０Ａ〜１０Ｆが有する電気錠１２の製造番号を取得する機能を有する。
【００３８】
以下、各収納庫ユニット１０Ａ〜１０Ｆと収納庫システム１００の正面レイアウト図との紐付け作業の具体例を紹介する。便宜のため、下記の各例では、収納庫システム１００は２台の収納庫ユニットＡおよび収納庫ユニットＢとコントロールユニット２０とで構成されているものとする。なお、下記の各例に係るユニット紐付け作業は収納庫ユニットが３台以上の場合にも適用できることは言うまでもない。
【００３９】
４．２．１  各収納庫ユニットを操作してのユニット紐付け作業
（第１例）
図７は、第１例に係るユニット紐付け作業における各収納庫ユニットＡ，Ｂとコントロールユニット２０との間の通信シーケンス図である。
【００４０】
各収納庫ユニットＡ，Ｂとコントロールユニット２０を結線した後、ユーザーは、収納庫システム１００における２つの収納庫ユニットＡ，Ｂのうち例えば収納庫ユニットＡに対して何らかの操作、例えば、シリンダー錠１４で電気錠１２を非常解錠するかまたは収納庫ユニットＡの扉を開閉する（Ｓ１０２）。これにより、収納庫ユニットＡからコントロールユニット２０へ検出信号が送信される。このとき、例えば、収納庫ユニットＡが有する電気錠１２の製造番号を検出信号として送信してもよい。
【００４１】
その後、ユーザーは、コントロールユニット２０のタッチパネル式ディスプレイ２４に表示された収納庫システム１００の正面レイアウト図中で収納庫ユニットＡをタッチ操作する（Ｓ１０３）。なお、収納庫ユニットＡは収納庫システム１００の正面レイアウト図中でロケーションＡに表示されているものとする。
【００４２】
収納庫システム１００の正面レイアウト図中で収納庫ユニットＡがタッチ操作されると、コントロールユニット２０は、検出信号の送信元、すなわち収納庫ユニットＡの電気錠１２にアドレスを付与する（Ｓ１０４）。これにより、コントロールユニット２０から収納庫ユニットＡへアドレスＡＤＤ＿Ａが送信され、収納庫ユニットＡの錠モジュール１１はアドレスＡＤＤ＿Ａを内部メモリに記憶する（Ｓ１０５）。一方、コントロールユニット２０は、収納庫ユニットＡのアドレスＡＤＤ＿ＡとロケーションＡとを紐付けたレコードを、メモリ２３に記憶されたテーブルに追加する（Ｓ１０６）。なお、検出信号として収納庫ユニットＡの製造番号Ｓ／Ｎ＿Ａを送信する場合には、コントロールユニット２０は、収納庫ユニットＡの製造番号Ｓ／Ｎ＿ＡとアドレスＡＤＤ＿ＡとロケーションＡとを紐付けたレコードを生成することができる。
【００４３】
次に、ユーザーは、収納庫ユニットＢに対して何らかの操作、例えば、シリンダー錠１４で電気錠１２を非常解錠するかまたは収納庫ユニットＢの扉を開閉する（Ｓ１０７）。これにより、収納庫ユニットＢからコントロールユニット２０へ検出信号が送信される。このとき、例えば、収納庫ユニットＢが有する電気錠１２の製造番号を検出信号として送信してもよい。
【００４４】
その後、ユーザーは、コントロールユニット２０のタッチパネル式ディスプレイ２４に表示された収納庫システム１００の正面レイアウト図中で収納庫ユニットＢをタッチ操作する（Ｓ１０８）。なお、収納庫ユニットＢは収納庫システム１００の正面レイアウト図中でロケーションＢに表示されているものとする。
【００４５】
収納庫システム１００の正面レイアウト図中で収納庫ユニットＢがタッチ操作されると、コントロールユニット２０は、検出信号の送信元、すなわち収納庫ユニットＢの電気錠１２にアドレスを付与する（Ｓ１０９）。これにより、コントロールユニット２０から収納庫ユニットＢへアドレスＡＤＤ＿Ｂが送信され、収納庫ユニットＢの錠モジュール１１はアドレスＡＤＤ＿Ｂを内部メモリに記憶する（Ｓ１１０）。一方、コントロールユニット２０は、収納庫ユニットＢのアドレスＡＤＤ＿ＢとロケーションＢとを紐付けたレコードを、メモリ２３に記憶されたテーブルに追加する（Ｓ１１１）。なお、検出信号として収納庫ユニットＢの製造番号Ｓ／Ｎ＿Ｂを送信する場合には、コントロールユニット２０は、収納庫ユニットＢの製造番号Ｓ／Ｎ＿ＢとアドレスＡＤＤ＿ＢとロケーションＢとを紐付けたレコードを生成することができる。
【００４６】
以上のようにして、各収納庫ユニットＡ，Ｂの電気錠１２のアドレスと収納庫システム１００の正面レイアウト図中での各収納庫ユニットＡ，Ｂとの紐付け作業が完了する。
【００４７】
（第２例）
図８は、第２例に係るユニット紐付け作業における各収納庫ユニットＡ，Ｂとコントロールユニット２０との間の通信シーケンス図である。
【００４８】
各収納庫ユニットＡ，Ｂとコントロールユニット２０を結線した後、ユーザーは、コントロールユニット２０のタッチパネル式ディスプレイ２４に表示された収納庫システム１００の正面レイアウト図中で収納庫システム１００における２つの収納庫ユニットＡ，Ｂのうち例えば収納庫ユニットＡをタッチ操作する（Ｓ２０２）。なお、収納庫ユニットＡは収納庫システム１００の正面レイアウト図中でロケーションＡに表示されているものとする。
【００４９】
その後、ユーザーは、実際の収納庫ユニットＡに対して何らかの操作、例えば、シリンダー錠１４で電気錠１２を非常解錠するかまたは収納庫ユニットＡの扉を開閉する（Ｓ２０３）。これにより、収納庫ユニットＡからコントロールユニット２０へ検出信号が送信される。このとき、例えば、収納庫ユニットＡが有する電気錠１２の製造番号を検出信号として送信してもよい。
【００５０】
コントロールユニット２０は、検出信号を受信すると、当該検出信号の送信元、すなわち収納庫ユニットＡの電気錠１２にアドレスを付与する（Ｓ２０４）。これにより、コントロールユニット２０から収納庫ユニットＡへアドレスＡＤＤ＿Ａが送信され、収納庫ユニットＡの錠モジュール１１はアドレスＡＤＤ＿Ａを内部メモリに記憶する（Ｓ２０５）。一方、コントロールユニット２０は、収納庫ユニットＡのアドレスＡＤＤ＿ＡとロケーションＡとを紐付けたレコードを、メモリ２３に記憶されたテーブルに追加する（Ｓ２０６）。なお、検出信号として収納庫ユニットＡの製造番号Ｓ／Ｎ＿Ａを送信する場合には、コントロールユニット２０は、収納庫ユニットＡの製造番号Ｓ／Ｎ＿ＡとアドレスＡＤＤ＿ＡとロケーションＡとを紐付けたレコードを生成することができる。
【００５１】
次に、ユーザーは、コントロールユニット２０のタッチパネル式ディスプレイ２４に表示された収納庫システム１００の正面レイアウト図中で収納庫ユニットＢをタッチ操作する（Ｓ２０７）。なお、収納庫ユニットＢは収納庫システム１００の正面レイアウト図中でロケーションＢに表示されているものとする。
【００５２】
その後、ユーザーは、実際の収納庫ユニットＢに対して何らかの操作、例えば、シリンダー錠１４で電気錠１２を非常解錠するかまたは収納庫ユニットＢの扉を開閉する（Ｓ２０８）。これにより、収納庫ユニットＢからコントロールユニット２０へ検出信号が送信される。このとき、例えば、収納庫ユニットＢが有する電気錠１２の製造番号を検出信号として送信してもよい。
【００５３】
コントロールユニット２０は、検出信号を受信すると、当該検出信号の送信元、すなわち収納庫ユニットＢの電気錠１２にアドレスを付与する（Ｓ２０９）。これにより、コントロールユニット２０から収納庫ユニットＢへアドレスＡＤＤ＿Ｂが送信され、収納庫ユニットＢの錠モジュール１１はアドレスＡＤＤ＿Ｂを内部メモリに記憶する（Ｓ２１０）。一方、コントロールユニット２０は、収納庫ユニットＢのアドレスＡＤＤ＿ＢとロケーションＢとを紐付けたレコードを、メモリ２３に記憶されたテーブルに追加する（Ｓ２１１）。なお、検出信号として収納庫ユニットＢの製造番号Ｓ／Ｎ＿Ｂを送信する場合には、コントロールユニット２０は、収納庫ユニットＢの製造番号Ｓ／Ｎ＿ＢとアドレスＡＤＤ＿ＢとロケーションＢとを紐付けたレコードを生成することができる。
【００５４】
以上のようにして、各収納庫ユニットＡ，Ｂの電気錠１２のアドレスと収納庫システム１００の正面レイアウト図中での各収納庫ユニットＡ，Ｂとの紐付け作業が完了する。
【００５５】
４．２．２  各収納庫ユニットの表示灯を利用したユニット紐付け作業
（第３例）
図９は、第３例に係るユニット紐付け作業における各収納庫ユニットＡ，Ｂとコントロールユニット２０との間の通信シーケンス図である。コントロールユニット２０（より厳密にはコンピュータ２２、以下同様。）は、結線された収納庫ユニットＡ，Ｂからそれぞれが有する電気錠１２の製造番号Ｓ／Ｎ＿Ａ，Ｓ／Ｎ＿Ｂを受信して図４に示したような製造番号リストを生成する（Ｓ３０１）。なお、製造番号の通知の順序はどちらが先でもよい。
【００５６】
ユーザーは、コントロールユニット２０のタッチパネル式ディスプレイ２４に表示された収納庫システム１００の正面レイアウト図中で収納庫システム１００における２つの収納庫ユニットＡ，Ｂのうち例えば収納庫ユニットＡをタッチ操作する（Ｓ３０２）。なお、収納庫ユニットＡは収納庫システム１００の正面レイアウト図中でロケーションＡに表示されているものとする。
【００５７】
収納庫システム１００の正面レイアウト図中で収納庫ユニットＡがタッチ操作されると、コントロールユニット２０は、アドレスがまだ付与されていない電気錠１２の製造番号を収納庫ユニットＡ，Ｂにブロードキャストする（Ｓ３０３）。具体的には、コントロールユニット２０は、先ほど生成した製造番号リストを参照して、アドレスとの紐付けがまだ行われていない製造番号を選択してそれをブロードキャストする。ここで、いずれの電気錠１２にもアドレスが付与されていないため、コントロールユニット２０は、製造番号リストの先頭の製造番号をブロードキャストする。この結果、例えば、収納庫ユニットＢが有する電気錠１２の製造番号Ｓ／Ｎ＿Ｂがブロードキャストされるものとする。製造番号Ｓ／Ｎ＿Ｂがブロードキャストされると、当該製造番号Ｓ／Ｎ＿Ｂを持つ電気錠１２を有する収納庫ユニットＢの表示灯１３が点灯する（Ｓ３０４）。
【００５８】
コントロールユニット２０は、製造番号Ｓ／Ｎ＿Ｂをブロードキャストすると、タッチパネル式ディスプレイ２４にユーザー確認用のウィンドウを表示する。当該ウィンドウには「ＯＫ」および「ＮＧ」のボタンがあり、ユーザーが意図した収納庫ユニットの表示灯が点灯した場合には「ＯＫ」ボタンを、ユーザーが意図しない収納庫ユニットの表示灯が点灯した場合には「ＮＧ」ボタンをタッチ操作するようになっている。この場合、収納庫システム１００の正面レイアウト図中で収納庫ユニットＡをタッチ操作したところ収納庫ユニットＢの表示灯１３が点灯したのであるから、ユーザーは「ＮＧ」ボタンをタッチ操作することなる。
【００５９】
「ＮＧ」ボタンがタッチ操作されると、コントロールユニット２０は、アドレスがまだ付与されていない別の電気錠１２の製造番号を収納庫ユニットＡ，Ｂにブロードキャストする（Ｓ３０５）。具体的には、コントロールユニット２０は、先ほど生成した製造番号リストを参照して、アドレスとの紐付けがまだ行われていない別の製造番号を選択してそれをブロードキャストする。ここで、製造番号リストの２番目の製造番号にはアドレスがまだ付与されていないため、コントロールユニット２０は、その製造番号をブロードキャストする。この結果、例えば、収納庫ユニットＡが有する電気錠１２の製造番号Ｓ／Ｎ＿Ａがブロードキャストされるものとする。製造番号Ｓ／Ｎ＿Ａがブロードキャストされると、当該製造番号Ｓ／Ｎ＿Ａを持つ電気錠１２を有する収納庫ユニットＡの表示灯１３が点灯する（Ｓ３０６）。
【００６０】
コントロールユニット２０は、製造番号Ｓ／Ｎ＿Ａをブロードキャストすると、タッチパネル式ディスプレイ２４に、上述したユーザー確認用のウィンドウを再び表示する。この場合、ユーザーが意図した収納庫ユニットＡの表示灯１３が点灯したのであるから、ユーザーは「ＯＫ」ボタンをタッチ操作することなる（Ｓ３０７）。
【００６１】
「ＯＫ」ボタンがタッチ操作されると、コントロールユニット２０は、製造番号Ｓ／Ｎ＿Ａを持つ電気錠１２、すなわち収納庫ユニットＡの電気錠１２にアドレスを付与する（Ｓ３０８）。これにより、コントロールユニット２０から収納庫ユニットＡへアドレスＡＤＤ＿Ａが送信され、収納庫ユニットＡの錠モジュール１１はアドレスＡＤＤ＿Ａを内部メモリに記憶する（Ｓ３０９）。一方、コントロールユニット２０は、収納庫ユニットＡの製造番号Ｓ／Ｎ＿ＡとアドレスＡＤＤ＿ＡとロケーションＡとを紐付けたレコードを、メモリ２３に記憶されたテーブルに追加する（Ｓ３１０）。
【００６２】
次に、ユーザーは、コントロールユニット２０のタッチパネル式ディスプレイ２４に表示された収納庫システム１００の正面レイアウト図中で収納庫ユニットＢをタッチ操作する（Ｓ３１１）。なお、収納庫ユニットＢは収納庫システム１００の正面レイアウト図中でロケーションＢに表示されているものとする。
【００６３】
収納庫システム１００の正面レイアウト図中で収納庫ユニットＢがタッチ操作されると、コントロールユニット２０は、アドレスがまだ付与されていない電気錠１２の製造番号を収納庫ユニットＡ，Ｂにブロードキャストする（Ｓ３１２）。具体的には、コントロールユニット２０は、先ほど生成した製造番号リストを参照して、アドレスとの紐付けがまだ行われていない製造番号を選択してそれをブロードキャストする。ここで、製造番号リストの先頭の製造番号にはアドレスがまだ付与されていないため、コントロールユニット２０は、その製造番号をブロードキャストする。この結果、例えば、収納庫ユニットＢが有する電気錠１２の製造番号Ｓ／Ｎ＿Ｂがブロードキャストされるものとする。製造番号Ｓ／Ｎ＿Ｂがブロードキャストされると、当該製造番号Ｓ／Ｎ＿Ｂを持つ電気錠１２を有する収納庫ユニットＢの表示灯１３が点灯する（Ｓ３１３）。
【００６４】
コントロールユニット２０は、製造番号Ｓ／Ｎ＿Ｂをブロードキャストすると、タッチパネル式ディスプレイ２４に、上述したユーザー確認用のウィンドウを再び表示する。この場合、ユーザーが意図した収納庫ユニットＢの表示灯１３が点灯したのであるから、ユーザーは「ＯＫ」ボタンをタッチ操作することなる（Ｓ３１４）。
【００６５】
「ＯＫ」ボタンがタッチ操作されると、コントロールユニット２０は、製造番号Ｓ／Ｎ＿Ｂを持つ電気錠１２、すなわち収納庫ユニットＢの電気錠１２にアドレスを付与する（Ｓ３１５）。これにより、コントロールユニット２０から収納庫ユニットＢへアドレスＡＤＤ＿Ｂが送信され、収納庫ユニットＢの錠モジュール１１はアドレスＡＤＤ＿Ｂを内部メモリに記憶する（Ｓ３１６）。一方、コントロールユニット２０は、収納庫ユニットＢの製造番号Ｓ／Ｎ＿ＢとアドレスＡＤＤ＿ＢとロケーションＢとを紐付けたレコードを、メモリ２３に記憶されたテーブルに追加する（Ｓ３１７）。
【００６６】
以上のようにして、各収納庫ユニットＡ，Ｂの電気錠１２の製造番号とそのアドレスと収納庫システム１００の正面レイアウト図中での各収納庫ユニットＡ，Ｂとの紐付け作業が完了する。
【００６７】
（第４例）
図１０は、第４例に係るユニット紐付け作業における各収納庫ユニットＡ，Ｂとコントロールユニット２０との間の通信シーケンス図である。コントロールユニット２０（より厳密にはコンピュータ２２、以下同様。）は、結線された収納庫ユニットＡ，Ｂからそれぞれが有する電気錠１２の製造番号Ｓ／Ｎ＿Ａ，Ｓ／Ｎ＿Ｂを受信して図４に示したような製造番号リストを生成する（Ｓ４０１）。なお、製造番号の通知の順序はどちらが先でもよい。
【００６８】
コントロールユニット２０は、アドレスがまだ付与されていない電気錠１２の製造番号を収納庫ユニットＡ，Ｂにブロードキャストする（Ｓ４０２）。具体的には、コントロールユニット２０は、先ほど生成した製造番号リストを参照して、アドレスとの紐付けがまだ行われていない製造番号を選択してそれをブロードキャストする。ここで、いずれの電気錠１２にもアドレスが付与されていないため、コントロールユニット２０は、製造番号リストの先頭の製造番号をブロードキャストする。この結果、例えば、収納庫ユニットＡが有する電気錠１２の製造番号Ｓ／Ｎ＿Ａがブロードキャストされるものとする。製造番号Ｓ／Ｎ＿Ａがブロードキャストされると、当該製造番号Ｓ／Ｎ＿Ａを持つ電気錠１２を有する収納庫ユニットＡの表示灯１３が点灯する（Ｓ４０３）。
【００６９】
その後、ユーザーは、コントロールユニット２０のタッチパネル式ディスプレイ２４に表示された収納庫システム１００の正面レイアウト図中で、表示灯が点灯した収納庫ユニットをタッチ操作する。この場合、収納庫ユニットＡの表示灯１３が点灯したのであるから、ユーザーは、タッチパネル式ディスプレイ２４に表示された収納庫システム１００の正面レイアウト図中で収納庫ユニットＡをタッチ操作する（Ｓ４０４）。なお、収納庫ユニットＡは収納庫システム１００の正面レイアウト図中でロケーションＡに表示されているものとする。
【００７０】
収納庫システム１００の正面レイアウト図中で収納庫ユニットＡがタッチ操作されると、コントロールユニット２０は、製造番号Ｓ／Ｎ＿Ａを持つ電気錠１２、すなわち収納庫ユニットＡの電気錠１２にアドレスを付与する（Ｓ４０５）。これにより、コントロールユニット２０から収納庫ユニットＡへアドレスＡＤＤ＿Ａが送信され、収納庫ユニットＡの錠モジュール１１はアドレスＡＤＤ＿Ａを内部メモリに記憶する（Ｓ４０６）。一方、コントロールユニット２０は、収納庫ユニットＡの製造番号Ｓ／Ｎ＿ＡとアドレスＡＤＤ＿ＡとロケーションＡとを紐付けたレコードを、メモリ２３に記憶されたテーブルに追加する（Ｓ４０７）。
【００７１】
次に、コントロールユニット２０は、アドレスがまだ付与されていない電気錠１２の製造番号を収納庫ユニットＡ，Ｂにブロードキャストする（Ｓ４０８）。具体的には、コントロールユニット２０は、先ほど生成した製造番号リストを参照して、アドレスとの紐付けがまだ行われていない製造番号を選択してそれをブロードキャストする。ここで、製造番号リストの２番目の製造番号にはアドレスがまだ付与されていないため、コントロールユニット２０は、その製造番号をブロードキャストする。この結果、例えば、収納庫ユニットＢが有する電気錠１２の製造番号Ｓ／Ｎ＿Ｂがブロードキャストされるものとする。製造番号Ｓ／Ｎ＿Ｂがブロードキャストされると、当該製造番号Ｓ／Ｎ＿Ｂを持つ電気錠１２を有する収納庫ユニットＢの表示灯１３が点灯する（Ｓ４０９）。
【００７２】
その後、ユーザーは、コントロールユニット２０のタッチパネル式ディスプレイ２４に表示された収納庫システム１００の正面レイアウト図中で、表示灯が点灯した収納庫ユニットをタッチ操作する。この場合、収納庫ユニットＢの表示灯１３が点灯したのであるから、ユーザーは、タッチパネル式ディスプレイ２４に表示された収納庫システム１００の正面レイアウト図中で収納庫ユニットＢをタッチ操作する（Ｓ４１０）。なお、収納庫ユニットＢは収納庫システム１００の正面レイアウト図中でロケーションＢに表示されているものとする。
【００７３】
収納庫システム１００の正面レイアウト図中で収納庫ユニットＢがタッチ操作されると、コントロールユニット２０は、製造番号Ｓ／Ｎ＿Ｂを持つ電気錠１２、すなわち収納庫ユニットＢの電気錠１２にアドレスを付与する（Ｓ４１１）。これにより、コントロールユニット２０から収納庫ユニットＢへアドレスＡＤＤ＿Ｂが送信され、収納庫ユニットＢの錠モジュール１１はアドレスＡＤＤ＿Ｂを内部メモリに記憶する（Ｓ４１２）。一方、コントロールユニット２０は、収納庫ユニットＢの製造番号Ｓ／Ｎ＿ＢとアドレスＡＤＤ＿ＢとロケーションＢとを紐付けたレコードを、メモリ２３に記憶されたテーブルに追加する（Ｓ４１３）。
【００７４】
以上のようにして、各収納庫ユニットＡ，Ｂの電気錠１２の製造番号とそのアドレスと収納庫システム１００の正面レイアウト図中での各収納庫ユニットＡ，Ｂとの紐付け作業が完了する。
【００７５】
４．２．３  各ユニット紐付け作業のメリット／デメリット
上記第１例および第２例は、収納庫ユニットおよびタッチパネル式ディスプレイ２４の２箇所を操作する必要があるが、ＯＫまたはＮＧといったユーザー確認が不要であり、収納庫ユニットの個数が少ない場合には素早く作業することができるというメリットがある。上記第３例および第４例では、収納庫ユニットの表示灯の点灯を確認する必要があり、場合によっては表示灯が見えづらいということもあるが、作業箇所がタッチパネル式ディスプレイ２４だけであるため、作業員一人でも作業することができるというメリットがある。
【００７６】
４．３  ＧＵＩを通じた解錠操作
各収納庫ユニット１０Ａ〜１０Ｆと収納庫システム１００の正面レイアウト図との紐付け作業が終わると、コントロールユニット２０から各収納庫ユニット１０Ａ〜１０Ｆへの信号送信はアドレスを指定して行われるようになる。例えば、タッチパネル式ディスプレイ２４に表示された収納庫システム１００の正面レイアウト図中で任意の収納庫ユニットがタッチ操作されて解錠が指示されると、コントロールユニット２０は、メモリ２３に記憶されたテーブルを参照して当該タッチ操作された収納庫ユニットのロケーションに対応するアドレスを特定し、当該特定したアドレス宛に信号を送信する。これにより、目的の収納庫ユニットの電気錠１２を解錠することができる。
【００７７】
５．その他の実施形態
以上説明したように、本実施形態によると、収納庫システム１００において、各電気錠１２のアドレスをディップスイッチやロータリースイッチで設定することなく、タッチパネル式ディスプレイ２４に表示されるＧＵＩを通じて容易に設定することができる。
【００７８】
なお、本実施形態に係る収納庫システム１００にさらに次のような機能を追加してもよい。例えば、各収納庫ユニット１０Ａ〜１０Ｆと収納庫システム１００の正面レイアウト図との紐付けが正しいかどうかを確認するために、各収納庫ユニット１０Ａ〜１０Ｆの表示灯１３を数秒間ずつ順に点灯させ、それに合わせて収納庫システム１００の正面レイアウト図中で該当する各収納庫ユニット１０Ａ〜１０Ｆを強調表示する機能を追加してもよい。
【００７９】
また、収納庫システム１００の正面レイアウト図中で任意の収納庫ユニットをタッチ操作すると、その収納庫ユニットを最後に利用したユーザーの情報、その収納庫ユニットの収容物の情報、その収納庫ユニットの解錠履歴情報、その収納庫ユニットのエラー情報などを表示する機能を追加してもよい。
【００８０】
また、ユーザーが所望する目的物がどの収納庫ユニットに収納されているかわからない状況において、ユーザーがタッチパネル式ディスプレイ２４において目的物を検索することで、その目的物を収容する収納庫ユニットを見つけて解錠するという機能を追加してもよい。
【００８１】
また、収納庫ユニットを解錠する場合において、複数ユーザー、例えば、本人とその上司の両者のユーザー認証がされなければ解錠を不可にするというセキュリティー機能を追加してもよい。
【００８２】
また、コントロールユニット２０がクラッシュした場合に備えて、メモリ２３に記憶されているテーブルをＵＳＢメモリなどの外部メモリにバックアップする機能を追加してもよい。
【００８３】
また、収納庫システム１００が大規模になるとタッチパネル式ディスプレイ２４に収納庫システム１００の全体図を表示しきれなくなるため、コントロールユニット２０と無線通信するタブレット端末に収納庫システム１００の任意の部分の正面レイアウト図を表示し、当該タブレット端末から収納庫システム１００を操作できるようにしてもよい。
【００８４】
また、収納庫ユニットの個数が多いと画面上で目的の収納庫ユニットを見つけるのが困難であるため、収納庫システム１００の正面レイアウト図において、解錠可能な収納庫ユニット、頻繁に利用する収納庫ユニット、最後に解錠した収納庫ユニットなどを異なる色や濃淡で表示するようにしてもよい。
【００８５】
以上のように、本発明における技術の例示として、実施の形態を説明した。そのために、添付図面および詳細な説明を提供した。
【００８６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８７】
また、上述の実施の形態は、本発明における技術を例示するためのものであるから、特許請求の範囲またはその均等の範囲において種々の変更、置き換え、付加、省略などを行うことができる。
【符号の説明】
【００８８】
１００  収納庫システム
１０Ａ〜１０Ｆ  収納庫ユニット
１２    電気錠
１３    表示灯
２０    コントロールユニット
２１    通信インタフェース
２２    コンピュータ
２３    メモリ
２４    タッチパネル式ディスプレイ
【図１】
2018150715.tif 000003
【図２】
2018150715.tif 000004
【図３】
2018150715.tif 000005
【図４】
2018150715.tif 000006
【図５】
2018150715.tif 000007
【図６】
2018150715.tif 000008
【図７】
2018150715.tif 000009
【図８】
2018150715.tif 000010
【図９】
2018150715.tif 000011
【図１０】
2018150715.tif 000012